(57)【特許請求の範囲】
【請求項１】
冷却庫本体内には、冷気が循環供給される収納室が画成され、この収納室の左右の側壁には、トレイまたは棚網を受けて支持するレールが対向して多段に配設された冷却庫において、
前記レールの奥端側でかつ前記収納室の奥壁よりも所定寸法手前の位置には、ストッパが立ち上がり形成され、
このストッパは、前記トレイの奥縁を手前側から突き当てて同トレイのそれ以上の奥側への挿入を規制する機能と、前記棚網の奥枠の手前に掛止して同棚網の手前側への移動を規制する機能との両方を具備しており、
かつこのストッパは、前記レールに載せられた棚網における奥枠の上面位置を越えないような高さ寸法に設定されていることを特徴とする冷却庫。
【請求項２】
前記収納室の側方には、この収納室に冷気を循環供給すべく冷却器等が装備された冷却器室が並んで設けられていることを特徴とする請求項１記載の冷却庫。
【発明の詳細な説明】
【０００１】
【発明の属する技術分野】
本発明は、急速凍結庫等の冷却庫に関する。
【０００２】
【従来の技術】
従来、急速凍結庫の一例として、図７及び図８に示すものが知られている。このものは、断熱箱体からなる凍結庫本体１内に、収納室２と冷却器室３とが左右に並んで設けられている。冷却器室３内には、冷凍装置４と冷媒配管により循環接続された冷却器５が中央高さ位置に、その上下両側に庫内ファン６が収容されているとともに、収納室２の左右の側壁には、左右で対をなすレール７が多段に設けられている。そして、食材Ｓ等を載せたトレイ８をレール７に載せて支持し、冷凍装置４並びに庫内ファン６を駆動すると、庫内空気が冷却器５に向けて吸引され、冷却器５を通過する間に熱交換により生成された冷気が、上下の庫内ファン６により収納室２内に向けて吹き出されるといった循環流が生じ、食材Ｓ等が急速凍結されるようになっている。
【０００３】
ここで、トレイ８が収納室２の奥壁２Ａに直接に当てられる構造であると、収納室２の奥側で冷気の通路を塞ぐことになるし、トレイ８を勢い良く入れて突き当てると、奥壁２Ａを変形させる等のおそれがある。そのため従来では、収納室２の奥壁２Ａの幅方向の中央部において、例えばチャンネル材９をほぼ全高にわたって取り付け、このチャンネル材９にトレイ８を突き当てることで、奥壁２Ａとの間に冷気通路を確保し、また奥壁２Ａが損傷を受けることを防止するようにしていた。
【０００４】
【発明が解決しようとする課題】
しかるに従来の方法では、大型のチャンネル材９を余分に取り付けるのであるから、重量増を招くし、製造コストも増加する不具合がある。また、図８の符号ｘに示すように、チャンネル材９の左側（冷却器室３と反対側）には、どうしても冷気が行き渡り難いため、食材Ｓの均一な凍結や冷却に支障を来すおそれがあり、さらなる改良が切望されていた。
本発明は上記のような要望に基づいて完成されたものである。
【０００５】
【課題を解決するための手段】
請求項１の発明は、冷却庫本体内には、冷気が循環供給される収納室が画成され、この収納室の左右の側壁には、トレイまたは棚網を受けて支持するレールが対向して多段に配設された冷却庫において、前記レールの奥端側でかつ前記収納室の奥壁よりも所定寸法手前の位置には、ストッパが立ち上がり形成され、このストッパは、前記トレイの奥縁を手前側から突き当てて同トレイのそれ以上の奥側への挿入を規制する機能と、前記棚網の奥枠の手前に掛止して同棚網の手前側への移動を規制する機能との両方を具備しており、かつこのストッパは、前記レールに載せられた棚網における奥枠の上面位置を越えないような高さ寸法に設定されている構成としたところに特徴を有する。
請求項２の発明は、請求項１に記載のものにおいて、前記収納室の側方には、この収納室に冷気を循環供給すべく冷却器等が装備された冷却器室が並んで設けられているところに特徴を有する。
【０００６】
【発明の作用及び効果】
＜請求項１の発明＞
トレイをレールに沿って挿入した場合は、ストッパに当たることでそれ以上の挿入が規制される。トレイの奥縁が収納室の奥壁から離間し、冷気通路が確保される。また、トレイが奥壁に当たって変形等を招くことが避けられる。棚網をレールに載せる場合は、その奥枠をストッパに掛止することで、手前側へのずれが防止できる。棚網の場合は、仮にその奥枠が収納室の奥壁に当接しても、網であることから冷気通路は確保される。レールにストッパを設けた構造であるから、従来の収納室の奥壁にチャンネル材等を設けた場合と比較すると、大幅な重量増を招くことなく、また安価に対応できる。
棚網の奥枠がストッパで掛止された場合、ストッパは奥枠の上面よりも下方に引っ込んでいるから、例えば食材が袋やラップで包んで棚網上に載せられた場合に、袋やラップがストッパに引っ掛かって破れるといったことが防止される。
【０００７】
＜請求項２の発明＞
冷却器室が収納室の側方にあると、奥壁に沿って左右方向に冷気の流れる可能性があるが、ストッパは奥壁の手前に離間していることから、このような左右方向の冷気通路も確保される。
【０００８】
【発明の実施の形態】
以下、本発明の一実施形態を図１ないし図６に基づいて説明する。この実施形態では、急速凍結庫に適用した場合を例示している。
図１及び図２において、符号１０は、前面開口の縦長の断熱箱体からなる凍結庫本体であって、底面の四隅に設けられた脚１１で支持されているとともに、前面開口が中央高さ位置で仕切枠１２により仕切られて上下の出入口１３が形成されており、各出入口１３に、断熱扉１４が左右方向の揺動開閉可能に支持されている。
本体１０内は、図１に示すように、仕切カバー１５を境として、正面から見た左側の２／３強の領域に収納室１６が、右側の残りの領域に冷却器室１７がそれぞれ形成されている。
【０００９】
冷却器室１７の前面には前面カバー１８が張設されており、冷却器室１７内には、ほぼ中央高さ位置に冷却器２０が、その上下両側に庫内ファン２１が配設されている。
冷却器２０は、本体１０の上面に設けられた機械室２３内の冷凍装置２４と冷媒配管により循環接続され、周知の冷凍サイクルが構成されている。上下の庫内ファン２１は、それぞれ上下両面の開口されたファンケース２６に収められて収納室１６側を向いて取り付けられ、ファンケース２６の前面にはベルマウス２７が形成されている。
【００１０】
上記した仕切カバー１５は、図２に示すように、冷却器カバー３０と上下２枚の庫内ファンカバー３１とから構成され、後記する右側の前後の棚柱４０の間に張設されている。
冷却器カバー３０は、冷却器２０の前方（図１の左側）に配され、多数の吸込口３２がほぼ全面に整列して形成されている。庫内ファンカバー３１は、それぞれ上下の庫内ファン２１の前方に配され、その裏面の中央部には、ベルマウス２７内に嵌合可能な円筒形をなす吹出口３３が形成されている。
各カバー３０，３１は、それぞれその奥縁が奥側の棚柱４０にヒンジ３５を介して取り付けられ、収納室１６の奥壁１６Ａ側に向けて揺動可能に支持されているとともに、手前側の縁部が手前側の棚柱４０にねじ止めされるようになっている。
【００１１】
収納室１６内には、一部既述したように、その四隅に棚柱４０が立てられている。各棚柱４０には、図３に示すように、左右で対向する面に、複数の取付孔４１が一定のピッチを開けて多段に形成されている。
一方、左右で対をなす断面Ｌ字形のレール４３Ｌ，４３Ｒが複数組備えられている。これらのレール４３Ｌ，４３Ｒは左側と右側とで専用であり、共に断面Ｌ字形をなして向い合わせの姿勢で使用されるようになっている。各レール４３Ｌ，４３Ｒには縦板４４の長さ方向の両端部に引掛部４５が形成されており、これらの引掛部４５を取付孔４１に引っ掛けつつ、左側と右側においてそれぞれ手前と奥の棚柱４０の間に差し渡され、同一高さで横板４７を突き合わせた姿勢で支持されるようになっている。
【００１２】
これらの左右のレール４３Ｌ，４３Ｒの対が複数段に配され、対をなす両レール４３Ｌ，４３Ｒには、トレイ５０と、棚網５２とが選択的に載せられるようになっている。
トレイ５０は方形の浅皿状をなし、側壁の上縁が少し開いて形成されている。
トレイ５０は、その左右の側縁を、左右のレール４３Ｌ，４３Ｒの横板４７の上に載せつつ出し入れされるようになっている。
一方の棚網５２は、方形をなす外枠５３内の奥行方向の中間位置に中間枠５４が差し渡され、外枠５３の手前側と奥側の縁部５３Ａ，５３Ｂとの間に、複数本の線材５５が左右方向に間隔に開けて並んで固定されている。また、外枠５３の奥縁５３Ｂにはストッパ枠５６が立ち上がって形成されている。この棚網５２も、外枠５３の左右の側縁５３Ｃを左右のレール４３Ｌ，４３Ｒの横板４７の上に載せて支持されるようになっている。
【００１３】
さて、上記した左右のレール４３Ｌ，４３Ｒには、その横板４７の奥縁における内方への突出端側に、ストッパ６０が立ち上がり形成されている。このストッパ６０は、レール４３Ｌ，４３Ｒが棚柱４０に正規に取り付けられた場合において、図４に示すように、収納室１６の奥壁１６Ａから所定寸法Ｓだけ手前に位置するようになっている。
このストッパ６０は、図５に示すように、トレイ５０の奥縁を突き当てて、それ以上の奥側への挿入を規制するように機能する。
また、棚網５２については、図６に示すように、外枠５３の奥縁５３Ｂの手前に掛止するように機能する。この棚網５２を掛止する場合を睨んで、ストッパ６０の背の高さｈが、外枠５３の奥縁５３Ｂの高さ寸法Ｈよりも小さくなるように形成されている。
【００１４】
続いて、本実施形態の作用を説明する。食材はトレイ５０に載せて入れられるか、あるいは適宜位置に予め設置された棚網５２に載せられる。棚網５２は、外枠５３の左右の側縁５３Ｃを、左右のレール４３Ｌ，４３Ｒの横板４７の上に滑らせて入れられたのち、図６に示すように、奥縁５３Ｂがストッパ６０の奥側に嵌められて、手前への抜け止め状態に設置される。棚網５２上へは食材は、直に載せられるか、例えば袋やラップで被包されて載せられる。
【００１５】
一方、トレイ５０を使用する場合は、食材を収納したトレイ５０が、その左右の側縁を左右のレール４３Ｌ，４３Ｒの横板４７の上に滑らせて入れられ、図４及び図５に示すように、トレイ５０の奥縁がレール４３Ｌ，４３Ｒのストッパ６０に当たったところで、押し込みが規制される。すなわち、トレイ５０の奥縁が収納室１６の奥壁１６Ａに突き当たることが回避される。またこのとき、トレイ５０の奥縁と、収納室１６の奥壁１６Ａとの間には隙間ができた状態となる。
【００１６】
係る状態で、冷凍装置２４並びに両庫内ファン２１が駆動されると、図１の矢線に示すように、収納室１６内の庫内空気が、冷却器カバー３０の吸込口３２を通って冷却器２０に向けて吸引され、冷却器２０を通過する間に熱交換により冷気が生成される。この冷気は、上下のファンケース２６内に導かれた後、庫内ファンカバー３１の吹出口３３から収納室１６内に向けて吹き出されるといった循環流が生じ、もって収納室１６内が冷却されて食材が凍結される。
【００１７】
ここで、トレイ５０が挿入された段において、上記したように、トレイ５０の奥縁が収納室１６の奥壁１６Ａから離間しており、すなわち冷気通路が確保されるから、奥壁１６Ａに沿った冷気の流通が上下方向並びに左右方向において全面にわたって担保される。
棚網５２の場合には、ストッパ６０は奥側への押し込みを規制するようには機能しないが、仮に棚網５２の奥縁５３Ｂが収納室１６の奥壁１６Ａに当接したとしても、基本的には開口を有する網であることから、冷気通路を確保する上で問題はない。
【００１８】
一方棚網５２の場合は、ストッパ６０が棚網５２の手前への移動を規制するように機能している。すなわち、棚網５２上から食材等を取り出す場合に、棚網５２も連れて手前に移動しようとするが、ストッパ６０で掛止されてそのような移動が阻止される。したがって、いちいち棚網５２の位置を直すといった手間が不要になる。
また、ストッパ６０は外枠５３の奥縁５３Ｂの上面よりも下方に引っ込んでいるから、食材を包んだ袋やラップがストッパ６０に引っ掛かって破れるといったことが防止される。
【００１９】
すなわち本実施形態では、トレイ５０をレール４３Ｌ，４３Ｒに沿って挿入した場合に、ストッパ６０に当たることでそれ以上の挿入が規制される。これにより、トレイ５０の奥縁が収納室１６の奥壁１６Ａから離間して冷気通路が確保され、収納室１６の全域にわたって万遍なく凍結機能を果たすことができる。また、トレイ５０が奥壁１６Ａに当たって変形等を招くことが避けられる。特に、レール４３Ｌ，４３Ｒにストッパ６０を設けた構造であるから、従来の収納室１６の奥壁１６Ａにチャンネル材等を設けた場合と比較すると、大幅な重量増を招くことなく、また安価に対応できる。
また、レール４３Ｌ，４３Ｒ上には棚網５２も併せて設置可能であって、その場合は、外枠５３の奥縁５３Ｂをストッパ６０に掛止することで、手前側へのずれを防止することができる。
【００２０】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）例えば冷却器室が収納室の上部に設けられたものであっても、収納室の奥壁に沿った冷気通路は必要であるから、そのような形式のものも、本発明の技術的範囲に含まれる。
（２）本発明は上記実施形態に例示した急速凍結庫に限らず、収納室の左右の側壁に、トレイまたは棚網を受けて支持するレールが対向して多段に配設された冷却庫全般に広く適用することができる。
【図面の簡単な説明】
【図１】  本発明の一実施形態に係る正面から見た断面図
【図２】  その側面から見た断面図
【図３】  レールの配設部分の分解斜視図
【図４】  図１のＡ−Ａ線断面図
【図５】  トレイを載せた状態を示す部分拡大図
【図６】  棚網を載せた状態を示す部分拡大図
【図７】  従来例の正面から見た断面図
【図８】  図７のａ−ａ線断面図
【符号の説明】
１０…凍結庫本体  １６…収納室  １６Ａ…（収納室１６の）奥壁  １７…冷却器室  ２０…冷却器  ２１…庫内ファン  ４０…棚柱  ４３Ｌ，４３Ｒ…レール  ４７…横板  ５０…トレイ  ５２…棚網  ５３…外枠  ５３Ｂ…（外枠５３の）奥縁  ６０…ストッパ
【図１】
0004073222.tif 000002
【図２】
0004073222.tif 000003
【図３】
0004073222.tif 000004
【図４】
0004073222.tif 000005
【図５】
0004073222.tif 000006
【図６】
0004073222.tif 000007
【図７】
0004073222.tif 000008
【図８】
0004073222.tif 000009